(57)【要約】　　　（修正有）【課題】鉄筋篭等の鉄筋等の結束リングを提供する。【解決手段】鉄筋コンクリート構築の内部に配される鉄筋同士を結束するためのものであって、丸紐状に形成され、基端部に嵌合孔を穿設した結束用嵌合部２を設けてあり、先端部寄りに結束用突起部３を設けてなる結束リング１。【選択図】　　図１
2004036225.tif 000002
【特許請求の範囲】
【請求項１】
鉄筋コンクリート構築の内部に配される鉄筋同士を結束するためのものであって、丸紐状に形成され、基端部に嵌合孔を穿設した結束用嵌合部を設けてあり、先端部寄りに結束用突起部を設けてなることを特徴とする結束リング。
【請求項２】
結束用嵌合部は円筒体状に形成してあり、その中心部に嵌合孔より周側面を等分するスリットを設けてあり、各スリット間には、凹凸面を有する舌片が嵌合孔に沿って設けたものであり、結束用突起部は結束リング本体の周側面を巻接した状態で立設され、かつ、基端部方向に若干傾斜を有する小リブを所要長さ多数並列してなるものであって、結束用突起部を結束用嵌合部に挿嵌することにより鉄筋同士を結束することを特徴とする結束リング。
【発明の詳細な説明】
【０００１】
【発明の属する技術分野】
この発明は鉄筋コンクリート構造物の施工に際して、鉄筋同士を結束するのに使用する結束リングに関するものである。
【０００２】
【発明が解決しようとする課題】
鉄筋同士を結束するための、この種結束リングとしては、従来より、平紐状の態様のものが使用されていた。
【０００３】
しかしながら、上記従来の結束リングは平紐状に形成されているために結束時に、よれてしまい結束リング自体が鉄筋に当接しない個所ができるため、結束が不充分になるという恐れがあった。
【０００４】
また、結束用嵌合部の嵌号孔が細長長方形状に形成されているため、結束時にリングの先端部を挿入する際に手間を要するなど、作業性に種々の問題点があった。
【０００５】
この発明は前記従来の結束リングの有する問題点に対処するために開発されたものである。
【０００６】
【発明の実施の形態】
以下、図示した実施の形態例に基づいて説明する。
【０００７】
符号１は本発明の結束リングを示すもので、この結束リングは所要長さの丸紐状に形成してあり、基端部には結束用嵌合部２を設けてある。
【０００８】
結束用嵌合部２は結束リング本体１において、小円筒体状に一体的に膨出した態様に形成し、中央部には貫通する嵌合孔２ａを穿設してある。この嵌合孔２ａより周側面を４等分するスリット２ｂを設けてあり、各スリット間には嵌合孔２ａに沿う舌片２ｃが設けてある。そして舌片２ｃの内側面は凹凸状に形成してある。
【０００９】
一方、結束リング本体１の先端部寄りには結束用突起部３が設けてある。この結束用突起部３は、本体１の周側面を巻接した状態で立設され、かつ、基端部方向に若干傾斜を有する小リブ３ａを所要長さ多数並列したものである。
【００１０】
図４は他の実施例の結束リング４を示すものである。この結束リング４は平紐状に形成してあり、その表裏面の略全体に波状小凹凸を多数設けて結束用突起部５となしたものである。一方、基端部を小角筒体状に膨出して結束用嵌合部６を形成してあり、この結束用嵌合部６の中心部に嵌合孔６ａが穿設してあり、結束リング本体６の先端部を嵌合孔６ａに挿入することにより、結束できるようになっている。
【００１１】
使用に際しては図３に示すように、鉄筋Ａ同士を結束リング１で巻接した後、先端部分から結束用嵌合部２の嵌合孔２ａに挿入し、結束用突起部３部分を嵌合孔２ａに挿入することによって、結束用突起部３が舌片２ｃの凹凸により嵌合されることにより鉄筋Ａ同士が結束されるものである。
【００１２】
【発明の効果】
以上、本願の発明は、結束リング本体が丸紐状に形成されているため、結束時には万べんなく均一に、鉄筋の周側面に当接するために確実に結束を行うことができる。また、円形の嵌合孔部分に丸紐状の結束リング本体を挿入するので、容易に結束でき、作業能率が非常に良好である。
【図面の簡単な説明】
【図１】本願の結束リングの斜視図である。
【図２】使用状態を示す斜視図である。
【図３】従来の結束リングを示す斜視図である。
【図４】他の形態例の結束リングの斜視図である。
【符号の説明】
１…結束リング、２…結束用嵌合部、３…結束用突起部、４…結束リング、５…結束用突起部、６…結束用嵌合部
【図１】
2004036225.tif 000003
【図２】
2004036225.tif 000004
【図３】
2004036225.tif 000005
【図４】
2004036225.tif 000006
【手続補正書】
【提出日】平成14年7月19日(2002.7.19)
【手続補正１】
【補正対象書類名】明細書
【補正対象項目名】全文
【補正方法】変更
【補正の内容】
【発明の詳細な説明】
【特許請求の範囲】
【請求項１】鉄筋コンクリート構築の内部に配される鉄筋同士を結束するためのものであって、丸紐状に形成され、基端部に嵌合孔を穿設した結束用嵌合部を設けてあり、先端部寄りに結束用突起部を設けてなることを特徴とする結束リング。
【請求項２】結束用嵌合部は円筒体状に形成してあり、その中心部に嵌合孔より周側面を等分するスリットを設けてあり、各スリット間には、凹凸面を有する舌片が嵌合孔に沿って設けたものであり、結束用突起部は結束リング本体の周側面を巻接した状態で立設され、かつ、基端部方向に若干傾斜を有する小リブを所要長さ多数並列してなるものであって、結束用突起部を結束用嵌合部に挿嵌することにより鉄筋同士を結束することを特徴とする結束リング。
【発明の詳細な説明】
【０００１】
【発明の属する技術分野】
この発明は鉄筋コンクリート構造物の施工に際して、鉄筋同士を結束するのに使用する結束リングに関するものである。
【０００２】
【発明が解決しようとする課題】
鉄筋同士を結束するための、この種結束リングとしては、従来より、平紐状の態様のものが使用されていた。
【０００３】
しかしながら、上記従来の結束リングは平紐状に形成されているために結束時に、よれてしまい結束リング自体が鉄筋に当接しない個所ができるため、結束が不充分になるという恐れがあった。
【０００４】
また、結束用嵌合部の嵌合孔が細長長方形状に形成されているため、結束時にリングの先端部を挿入する際に手間を要するなど、作業性に種々の問題点があった。
【０００５】
この発明は前記従来の結束リングの有する問題点に対処するために開発されたものである。
【０００６】
【発明の実施の形態】
以下、図示した実施の形態例に基づいて説明する。
【０００７】
符号１は本発明の結束リングを示すもので、この結束リングは所要長さの丸紐状に形成してあり、基端部には結束用嵌合部２を設けてある。
【０００８】
結束用嵌合部２は結束リング本体１において、小円筒体状に一体的に膨出した態様に形成し、中央部には貫通する嵌合孔２ａを穿設してある。この嵌合孔２ａより周側面を４等分するスリット２ｂを設けてあり、各スリット間には嵌合孔２ａに沿う舌片２ｃが設けてある。そして舌片２ｃの内側面は凹凸状に形成してある。
【０００９】
一方、結束リング本体１の先端部寄りには結束用突起部３が設けてある。この結束用突起部３は、本体１の周側面を巻接した状態で立設され、かつ、基端部方向に若干傾斜を有する小リブ３ａを所要長さ多数並列したものである。
【００１０】
図４は第２形態例の結束リング４を示すものである。この結束リング４は鉄筋に当接する中間部を丸紐状に形成してあり、基端部及び先端部を平紐状に形成したものであり、その表裏面の略全体に波状小凹凸を多数設けて結束用突起部５となしたものである。一方、基端部を小角筒体状に膨出して結束用嵌合部６を形成してあり、この結束用嵌合部６の中心部に嵌合孔６ａが穿設してあり、結束リング本体６の先端部を嵌合孔６ａに挿入することにより、結束できるようになっている。
【００１１】
使用に際しては図３に示すように、鉄筋Ａ同士を結束リング１で巻接した後、先端部分から結束用嵌合部２の嵌合孔２ａに挿入し、結束用突起部３部分を嵌合孔２ａに挿入することによって、結束用突起部３が舌片２ｃの凹凸により嵌合されることにより鉄筋Ａ同士が結束されるものである。
【００１２】
【発明の効果】
以上、本願の発明は、結束リング本体が丸紐状に形成されているため、結束時には万べんなく均一に、鉄筋の周側面に当接するために確実に結束を行うことができる。また、円形の嵌合孔部分に丸紐状の結束リング本体を挿入するので、容易に結束でき、作業能率が非常に良好である。
【図面の簡単な説明】
【図１】本願の結束リングの斜視図である。
【図２】使用状態を示す斜視図である。
【図３】従来の結束リングを示す斜視図である。
【図４】第２形態例の結束リングの斜視図である。
【符号の説明】
１…結束リング、２…結束用嵌合部、３…結束用突起部、４…結束リング、５…結束用突起部、６…結束用嵌合部
【手続補正２】
【補正対象書類名】図面
【補正対象項目名】全図
【補正方法】変更
【補正の内容】
【図１】
2004036225.tif 000007
【図２】
2004036225.tif 000008
【図３】
2004036225.tif 000009
【図４】
2004036225.tif 000010